(57)【要約】【課題】インターネットに接続する機能を有する情報処理装置であって、データのアップロードによるサーバの負荷が集中することを防止することができる情報処理装置を提供することを目的とするものである。【解決手段】ＷＷＷブラウザ機能を持つファクシミリ装置が、ＷＷＷからダウンロードしたデータから、アップロードに関する情報を受け取り、この受け取ったアップロードに関する情報に応じて、インターネットではなく、公衆電話回線を介して、データのアップロードを行う情報処理装置である。【選択図】  図１
2004199628.tif 000002
【特許請求の範囲】
【請求項１】
インターネットに接続する機能を具備する情報処理装置であって、
上記インターネット上のサーバから、アップロード情報を受け取る情報受け取り手段と；
上記情報受け取り手段が受け取ったアップロード情報を解析する情報解析手段と；
上記アップロード情報で指示されたアドレスへ、データを送信するアップロード手段と；
を有することを特徴とする情報処理装置。
【発明の詳細な説明】
【０００１】
【発明の属する技術分野】
本発明は、データをアップロードする情報処理装置に係り、たとえば、ＦＡＸモデムを装備し、公衆電話回線経由で画像データを送受信することができ、しかも、データモデムを装備し、ＷＷＷ（Ｗｏｒｌｄ  Ｗｉｄｅ  Ｗｅｂ）を閲覧することができるブラウザ機能を有するファクシミリ装置等の情報処理装置に関する。
【０００２】
【従来の技術】
従来のファクシミリ装置の中には、ＦＡＸモデムの他にデータモデムを装備し、ＳＬＩＰプロトコルを用いてインターネット経由でデータ通信を行い、受信したデータをビットマップ表示画面に表示し、ＷＷＷを閲覧することができるファクシミリ装置が存在する。
【０００３】
【発明が解決しようとする課題】
データのダウンロードに対して、今後は、データのアップロードを行うサービスの提供が必要になると考えられる。
【０００４】
現在では、アップロードされた写真データを、第三者に公開するアルバムサービスを提供しているサイトが存在している。
【０００５】
このサイトでは、ＷＷＷサーバにある閲覧ページに、アップロードしたいデータのファイル名を書き込むと、アップロードされる仕組みを有するが、この仕組みにおいて、ＷＷＷサーバをアップロードにも使用し、通常データのアップロードに時間がかかるので、サーバの負荷が大きいという問題がある。
【０００６】
また、たとえば、役所に各種届けを提出する手続、または、取引先企業に帳票を提出する手続について、インターネット経由で、実行できるようにする場合も、上記と同様に、ＷＷＷサーバをアップロードにも使用すると、通常データのアップロードに時間がかかるので、サーバの負荷が大きいという問題がある。
【０００７】
また、現在のＷＷＷ閲覧可能なファクシミリ装置では、ＷＷＷに対してアクセスする場合、データのダウンロードのみが可能であり、アップロードを実行することができないという問題がある。
【０００８】
本発明は、データのアップロードによるサーバの負荷が集中することを防止することができる情報処理装置を提供することを目的とするものである。
【０００９】
【課題を解決するための手段】
本発明は、ＷＷＷブラウザ機能を持つファクシミリ装置が、ＷＷＷからダウンロードしたデータから、アップロードに関する情報を受け取り、この受け取ったアップロードに関する情報に応じて、インターネットではなく、公衆電話回線を介して、データのアップロードを行う情報処理装置である。
【００１０】
【発明の実施の形態および実施例】
［第１の実施例］
図１は、本発明の第１の実施例であるファクシミリ装置１００の構成を示すブロック図である。
【００１１】
ファクシミリ装置１００は、画像読取部１と、ＣＰＵ２と、ＲＯＭ３と、ＲＡＭ４と、プリンタ５と、表示部６と、操作部７と、データモデム８と、ＦＡＸモデム９と、クロスポイントスイッチ１０とを有する。
【００１２】
画像読取部１は、原稿を光学的に読み取り、画像データに変換する画像読取部であり、ＣＰＵ２は、ファクシミリ装置１００の全体の制御を行うものであり、ＲＯＭ３は、ＣＰＵ２の動作プログラムを格納するメモリであり、ＲＡＭ４は、ＣＰＵ２のワークメモリであり、また、受信したデータを格納するメモリであり、プリンタ５は、画像読取部１で読み取って得た画像データや、電話回線経由で受信した画像データを、プリントするプリンタである。
【００１３】
表示部６は、ＷＷＷからダウンロードしたデータを表示する表示部であり、操作部７は、ユーザがファクシミリの操作を行う操作部であり、データモデム８は、電話回線経由でデータの送受信を行うモデムであり、ＦＡＸモデム９は、電話回線経由でファクシミリの送受信を行うモデムであり、クロスポイントスイッチ１０は、電話回線から受信するデータを、データモデム８またはＦＡＸモデム９に振り分けるスイッチである。
【００１４】
図２は、ファクシミリ装置１００が使用される通信システム２００の概要を示すブロック図である。
【００１５】
通信システム２００は、ファクシミリ装置１００と、電話回線２２と、アクセスポイント２３と、インターネット網２４と、ＷＷＷサイト２５と、アクセスポイント２６と、専用線２７とを有する。
【００１６】
電話回線２２は、ファクシミリ装置１００に接続され、アクセスポイント２３は、電話回線とインターネットに繋がるプロバイダのアクセスポイントであり、ＷＷＷサイト２５は、インターネット網２４を介して、画像データの送信先であるＷＷＷサイトであり、アクセスポイント２６は、ＷＷＷサイト２５に繋がるアクセスポイントであり、ファクシミリ装置１００から、インターネット経由ではなく電話回線経由で、デジタル画像データを受信することができる。また、ＷＷＷサイト２５とアクセスポイント２６とは、専用線２７で繋がっており、互いに自由にデータを送受信することができる。
【００１７】
ファクシミリ装置１００は、インターネットに接続する機能を具備する情報処理装置の例である。
【００１８】
データモデム８とＣＰＵ２とは、インターネット上のサーバから、アップロード情報を受け取る情報受け取り手段の例である。また、上記アップロード情報は、送信先が運営するＷＷＷサイトから受け取り、ｈｔｍｌで記載されている情報である。
【００１９】
ＣＰＵ２は、情報受け取り手段が受け取ったアップロード情報を解析する情報解析手段の例であり、この情報解析手段は、ＷＷＷブラウズ機能を具備し、ｈｔｍｌで記載されているアップロード情報を解析する手段である。
【００２０】
データモデム８とＣＰＵ２とは、アップロード情報で指示されたアドレスへ、データを送信するアップロード手段の例であり、このアップロード手段は、データのアップロード実行時に、上記アクセスポイントの電話番号に発呼し、公衆電話回線経由で、アップロードする手段である。また、上記アップロード手段は、データのアップロード時に、送信したいデータと上記データのＩＤ情報とを送信する手段である。
【００２１】
次に、ファクシミリ装置１００の動作について説明する。
【００２２】
図３は、ファクシミリ装置１００の動作を示すフローチャートである。
【００２３】
Ｓ１では、ユーザが、送信したい画像データを、ファクシミリ装置１００のメモリ内に予め格納する。上記送信したい画像データは、ファクシミリ装置１００の画像読取部１から読み取って得たデジタル画像データでもよく、ファクシミリ装置１００の図示しないインタフェースからファクシミリ装置１００が読み込んだ画像データでもよい。
【００２４】
Ｓ２では、ファクシミリ装置１００がインターネット網２４にダイヤルアップ接続し、ＷＷＷブラウズが可能な状態にする。
【００２５】
Ｓ３では、ユーザがＵＲＬ等を入力して、データ送信先であるサイトのＷＷＷページにアクセスする。
【００２６】
Ｓ４では、ＷＷＷサイトは、ユーザ側のＩＰアドレスやＣａｌｌｅｒ  ＩＤの情報に基づいて、後のアップロード処理に必要な情報（アップロード情報）を含むｈｔｍｌファイルを作成する。この情報の内容については、後述する。
【００２７】
Ｓ５では、ファクシミリ装置１００は、ステップＳ４で作成されたｈｔｍｌファイルを閲覧、解析し、アップロードに必要な情報を得る。
【００２８】
Ｓ６では、ファクシミリ装置１００が、ダイヤルアップ接続を一旦切断する。
【００２９】
Ｓ７では、ファクシミリ装置１００は、ステップＳ５で得た情報に従い、アクセスポイント２６へ発呼する。
【００３０】
Ｓ８では、ファクシミリ装置１００は、ステップＳ１で用意された画像データと、ステップＳ４で得たアップロード情報とを、アクセスポイント２６へ送信する。
【００３１】
Ｓ９では、送信先ＷＷＷサイト２５は、ステップＳ８でファクシミリ装置１００からアクセスポイント２６へ送信された画像データとアップロード情報とを、専用線経由で受け取る。
【００３２】
Ｓ１０では、ＷＷＷサイト２５は、画像データを送信したユーザを、アップロード情報から特定し、そのユーザ用に用意されたＵＲＬに、その画像データを格納する。
【００３３】
ステップＳ５でｈｔｍｌファイルに埋め込まれたアップロード情報は、以下の情報によって構成されている。
・アクセスポイント電話番号
・アップロードＩＤ
・送信先ＷＷＷサイトのログインユーザ名
・送信先ＷＷＷサイトのログインパスワード
ユーザが、ステップＳ４でＷＷＷサイトにアクセスした際に、サイト側は、アクセスしているユーザを、ユーザのＩＰアドレスやＣａｌｌｅｒ  ＩＤに基づいて、特定し、そのユーザに応じた上記アップロード情報を作成し、ｈｔｍｌファイルに、たとえば以下のようなタグとして埋め込み、アクセスしたファクシミリ装置１００に送信する。
【００３４】
＜ａ  ｈｒｅｆ＝“ｓｅｎｄｔｏ：０３−９９９９−９９９９＆ｓｅｎｄＩＤ＝ＸＸＸＸＸＸＸＸＸＸＸＸ＆ｕｓｅｒｎａｍｅ＝ａｂｃｄｅ＆ｐａｓｓｗｏｒｄ＝＊＊＊＊＊”＞
ｓｅｎｄｔｏ：０３−９９９９−９９９９：送信先アクセスポイント２６の電話番号
ｓｅｎｄＩＤ＝ＸＸＸＸＸＸＸＸＸＸＸＸ：アップロードＩＤ
ｕｓｅｒｎａｍｅ＝ａｂｃｄｅ：送信先ＷＷＷサイトのログインユーザ名
ｐａｓｓｗｏｒｄ＝＊＊＊＊＊：送信先ＷＷＷサイトのログインパスワード
アップロードＩＤは、ＷＷＷサイトがアクセスユーザに対応して生成するユニークな文字列であり、アップロードされる画像データが、このときにアクセスしたユーザからのデータであることを、ＷＷＷサイト側で後で確認するためのＩＤである。
【００３５】
ステップＳ５で、ファクシミリ装置１００は、上記ｈｔｍｌファイルを解析し、上記アップロード情報を得る。この後に、ファクシミリ装置１００は、ステップＳ６で、ダイヤルアップ接続を切断し、ステップＳ７で、アクセスポイントの電話番号に、改めて発呼する。
【００３６】
そして、ステップＳ１で、メモリ内に予め用意した画像と、上記アップロード情報とを、ステップＳ８で、送信先ＷＷＷサイトのアクセスポイント２６へ送信する。通信に用いるプロトコルは、Ｘ／Ｙ／Ｚ−ＭＯＤＥＭや、ダイヤルアップｆｔｐ等、既存のバイナリデータ通信プロトコルでもよく、ファクシミリプロトコル＋ＢＦＴ（Ｂｉｎａｒｙ  Ｆｉｌｅ  Ｔｒａｓｆｅｒ）を用いるようにしてもよい。
【００３７】
データを受信したアクセスポイント２６は、受信画像データと、受信した上記アップロード情報とを、ＷＷＷサイトへ送信する。ＷＷＷサイトでは、アップロードＩＤと、ログインユーザ名と、ログインパスワードとに基づいて、送信者を特定し、その送信者用に用意されたＵＲＬに、受信画像データを格納する。
【００３８】
上記手順によって、ファクシミリ装置１００のユーザは、特定のＷＷＷページにアクセスするという簡易な処理だけで、指定した画像データを、ＷＷＷサイトにアップロードし、インターネットを介して、そのデータを第三者に公開することができる。
【００３９】
上記第１の実施例によれば、従来のファクシミリ装置では不可能であって画像データのＷＷＷサイトへのアップロード処理を、ユーザがＷＷＷサイトをブラウズするという簡易な処理だけで、実行することができる。
【００４０】
［第２の実施例］
第１の実施例では、ファクシミリ装置１００に着目した実施例であるので、電話回線を使用しているが、第２の実施例は、パソコンや電話回線を経由しないで、ファクシミリ装置１００からデータをアップロードする実施例である。
【００４１】
図４は、本発明の第２の実施例であるファクシミリ装置１００ａを含む通信システム３００を示すブロック図である。
【００４２】
ファクシミリ装置１００ａの構成は、図１に示すファクシミリ装置１００の構成と同様である。
【００４３】
通信システム３００は、ファクシミリ装置１００ａと、インターネット網４４と、送信先を指定するサーバ４５と、送信先であるデータを受け取るサーバ４６とを有する。
【００４４】
ＷＷＷサーバ４５は、データを受け取るサーバ４６のアドレス（ＩＰアドレス等）を、ファクシミリ装置１００ａに伝えることができれば、ＷＷＷ以外のサーバであってもよい。
【００４５】
図５は、第２の実施例におけるファクシミリ装置１００ａの動作を示すフローチャートである。
【００４６】
Ｓ１１では、ユーザが送信したい画像データや所望のデータを、ファクシミリ装置１００ａのメモリ内に予め格納する。この送信したい画像データは、ファクシミリ装置１００ａの画像読取部１から読み取って得たデジタル画像データでもよく、ファクシミリ装置１００ａの図示しないインタフェースから、ファクシミリ装置１００ａに読み込んだ画像データでもよい。
【００４７】
Ｓ１３では、ユーザがＵＲＬ等を入力して、第２の実施例におけるデータ送信先となるサイトのＷＷＷページにアクセスする。
【００４８】
Ｓ１４では、ＷＷＷサイトは、ユーザ側のＩＰアドレス等の情報に基づいて、アップロード処理に必要な情報（アップロード情報）を含むｈｔｍｌファイルを作成する。この情報の内容は、第１の実施例においてアクセスポイントのＩＤのうちで電話番号を除いたものである。
【００４９】
Ｓ１５では、ファクシミリ装置１００ａは、ステップＳ１４で作成されたｈｔｍｌファイルを閲覧、解析し、アップロードに必要な情報を得る。
【００５０】
Ｓ１８では、ファクシミリ装置１００ａは、Ｓ１１で用意された画像データと、Ｓ１４で得たアップロード情報とを、送信先サーバ４６へ送信する。
【００５１】
Ｓ１９では、送信先ＷＷＷサイト４５は、ステップＳ１８でファクシミリ装置１００ａから送信された画像データとアップロード情報とを受け取る。
【００５２】
上記第２の実施例によれば、データのアップロードによるサーバの負荷が集中することを防止することができる。
【００５３】
なお、第２の実施例で、ファクシミリ装置１００ａの代わりに、一般的なパソコンを使用するようにしてもよい。
【００５４】
上記実施例を、ファクシミリ装置１００、１００ａ以外の情報処理装置に適用することができる。
【００５５】
また、上記実施例を次の実施形態として把握することができる。
【００５６】
［実施形態１］  インターネットに接続する機能を具備する情報処理装置であって、
インターネット上のサーバから、アップロード情報を受け取る情報受け取り手段と；
上記情報受け取り手段が受け取ったアップロード情報を解析する情報解析手段と；
上記アップロード情報で指示されたアドレスへ、データを送信するアップロード手段と；
を有することを特徴とする情報処理装置。
【００５７】
［実施形態２］  実施形態1において、
上記アップロード情報は、データ送信先のアクセスポイントの電話番号を含む情報であり、
上記アップロード手段は、データのアップロード実行時に、上記アクセスポイントの電話番号に発呼し、公衆電話回線経由で、アップロードする手段であることを特徴とする情報処理装置。
【００５８】
［実施形態３］  実施形態１において、
上記アップロード情報は、送信先が運営するＷＷＷサイトから受け取り、ｈｔｍｌで記載されている情報であり、
上記情報解析手段は、ＷＷＷブラウズ機能を具備し、ｈｔｍｌで記載されているアップロード情報を解析する手段であることを特徴とする情報処理装置。
【００５９】
［実施形態４］  実施形態１において、
上記アップロード情報は、ＩＤ情報を含む情報であり、
上記アップロード手段は、データのアップロード時に、送信したいデータと上記データのＩＤ情報とを送信する手段であることを特徴とする情報処理装置。
【００６０】
【発明の効果】
本発明によれば、データのアップロードによるサーバの負荷が集中することを防止することができるという効果を奏する。
【図面の簡単な説明】
【図１】本発明の第１の実施例であるファクシミリ装置１００の構成を示すブロック図である。
【図２】ファクシミリ装置１００が使用される通信システム２００の概要を示すブロック図である。
【図３】ファクシミリ装置１００の動作を示すフローチャートである。
【図４】本発明の第２の実施例であるファクシミリ装置１００ａを含む通信システム３００を示すブロック図である。
【図５】第２の実施例におけるファクシミリ装置１００ａの動作を示すフローチャートである。
【符号の説明】
１００、１００ａ…ファクシミリ装置、
１…画像読取部、
２…ＣＰＵ、
３…ＲＯＭ、
４…ＲＡＭ、
５…プリンタ、
６…表示部、
７…操作部、
８…データモデム、
９…ＦＡＸモデム、
１０…クロスポイントスイッチ、
２００…通信システム、
２２…電話回線、
２３…アクセスポイント、
２４…インターネット網、
２５…ＷＷＷサイト、
２６…アクセスポイント、
２７…専用線、
３００…通信システム、
４４…インターネット網、
４５…送信先を指定するサーバ、
４６…送信先であるデータを受け取るサーバ。
【図１】
2004199628.tif 000003
【図２】
2004199628.tif 000004
【図３】
2004199628.tif 000005
【図４】
2004199628.tif 000006
【図５】
2004199628.tif 000007